(57)【要約】【課題】積層鉄心本体の磁石挿入孔に永久磁石を入れ樹脂封止して回転子積層鉄心を形成する際に用いるカルプレートを樹脂封止後に、樹脂封止部を損傷させることなく取り外すことが可能なカルプレートの除去方法及びその除去装置を提供する。【解決手段】積層鉄心本体１１の各磁石挿入孔に永久磁石を挿入し、積層鉄心本体１１の片側端部に設けられたカルプレート１２を介して上型及び下型で型締めし、磁石挿入孔に樹脂を充填して硬化させた後、別位置に搬送してカルプレート１２をカルプレート１２に付着して硬化した樹脂１３と共に除去する方法であって、カルプレート１２が積層鉄心本体１１に接した状態で積層鉄心本体１１をクランプ機構１４で把持し、カルプレート１２を積層鉄心本体１１に対して相対回転させて、積層鉄心本体１１内で硬化した樹脂とカルプレート１２に付着した樹脂１３との分離を行う。【選択図】図１
2014007899.tif 000002
【特許請求の範囲】
【請求項１】
積層鉄心本体に形成された各磁石挿入孔に永久磁石を挿入し、該積層鉄心本体の片側端部に設けられたカルプレートを介して上型及び下型で型締めし、前記磁石挿入孔に樹脂を充填して硬化させた後、別位置に搬送して前記カルプレートを該カルプレートに付着して硬化した前記樹脂と共に除去する方法であって、
前記カルプレートが前記積層鉄心本体に接した状態で前記積層鉄心本体をクランプ機構で把持し、前記カルプレートを前記積層鉄心本体に対して相対回転させて、前記積層鉄心本体内で硬化した樹脂と前記カルプレートに付着した樹脂との分離を行うことを特徴とする回転子積層鉄心の製造に用いるカルプレートの除去方法。
【請求項２】
請求項１記載の回転子積層鉄心の製造に用いるカルプレートの除去方法において、前記積層鉄心本体は、該積層鉄心本体を載せる載置板と該載置板に立設されて前記積層鉄心本体の軸心に形成された軸孔に挿通する支持軸とを有する搬送治具に載置されていることを特徴とする回転子積層鉄心の製造に用いるカルプレートの除去方法。
【請求項３】
請求項２記載の回転子積層鉄心の製造に用いるカルプレートの除去方法において、前記カルプレートは、前記支持軸に設けられたキー溝に嵌入する位置決め用の突起を有し、前記カルプレートの載った前記積層鉄心本体を前記クランプ機構を用いて前記搬送治具に対して上昇させた後、前記カルプレートの回転を行うことを特徴とする回転子積層鉄心の製造に用いるカルプレートの除去方法。
【請求項４】
請求項１〜３のいずれか１記載の回転子積層鉄心の製造に用いるカルプレートの除去方法において、前記積層鉄心本体から分離された前記カルプレートは、別場所に搬送され、前記カルプレートの上側に付着した前記樹脂をバキューム機構によって支持された状態で、前記カルプレートから除去することを特徴とする回転子積層鉄心の製造に用いるカルプレートの除去方法。
【請求項５】
各磁石挿入孔に永久磁石を挿入した積層鉄心本体を、該積層鉄心本体の片側端部に設けられたカルプレートを介して上型及び下型で型締めした状態で、前記磁石挿入孔に樹脂を充填し硬化させてから別位置に搬送した後、前記カルプレートを該カルプレートに付着して硬化した前記樹脂と共に除去するカルプレートの除去装置であって、
前記積層鉄心本体を固定するクランプ機構と、前記積層鉄心本体を前記クランプ機構で保持した状態で、前記カルプレートを前記積層鉄心本体に対して水平回転させるカルプレート取外し回転機構とを有していることを特徴とするカルプレートの除去装置。
【請求項６】
請求項５記載のカルプレートの除去装置において、前記積層鉄心本体は、該積層鉄心本体を載せる載置板と該載置板に立設されて前記積層鉄心本体の軸心に形成された軸孔に挿通する支持軸とを有する搬送治具に搭載され、前記クランプ機構は昇降手段を備え、該昇降手段は前記カルプレートの水平回転前に、前記カルプレートが載った前記積層鉄心本体を前記搬送治具に対して持ち上げることを特徴とするカルプレートの除去装置。
【請求項７】
請求項５又は６記載のカルプレートの除去装置において、前記カルプレート取外し回転機構は、矩形の前記カルプレートを挟持する対となる可動側部材と、該可動側部材を保持し前記積層鉄心本体の軸心を中心にスプリングリターンによって所定位置に保持される回動可能な基板部材と、該基板部材の片側に伸びるアームと、該アームを押圧して前記基板部材を前記スプリングリターンに対抗して回転させるシリンダとを有していることを特徴とするカルプレートの除去装置。
【請求項８】
請求項５〜７のいずれか１記載のカルプレートの除去装置において、前記カルプレート取外し回転機構とは別位置に、前記カルプレートに付着した前記樹脂を該カルプレートから除去するカル除去機構と、該カル除去機構が前記樹脂を該カルプレートから除去する際に、該樹脂を吸引するバキューム機構とを備えたカル回収部を有していることを特徴とするカルプレートの除去装置。
【発明の詳細な説明】
【技術分野】
【０００１】
本発明は、積層鉄心本体に形成された磁石挿入孔に永久磁石を入れ樹脂封止して回転子積層鉄心を形成する際に用いられるカルプレート（ダミープレートともいう）の除去方法及びその除去装置に関する。
【背景技術】
【０００２】
従来、モータに使用する回転子積層鉄心（ロータコア）の積層鉄心本体に永久磁石（マグネット）を固定する方法として、マグネットモールド工法がある。
この工法は、図８（Ａ）に示すように、磁石挿入部（磁石挿入孔）１００内に永久磁石１０１が配置された積層鉄心本体１０２を加熱し、これが一定温度に達した後に、磁石挿入部１００の上端開口から磁石挿入部１００内にモールド樹脂１０３を注入し、これを加熱し硬化させることで、永久磁石１０１を積層鉄心本体１０２に固定させる方法である（例えば、特許文献１参照）。しかし、特許文献１に記載のマグネットモールド工法では、注入後に硬化したモールド樹脂１０３が、積層鉄心本体１０２の上表面に固着して残るため、この残留樹脂を除去する工程が必要となり、リードタイムの短縮を妨げる要因となっていることが指摘されている。
【０００３】
このため、図８（Ｂ）に示すように、積層鉄心本体１０４の樹脂注入側の端面上に、例えば金属製のカルプレート１０５を配置し、このカルプレート１０５に形成した樹脂注入口であるゲート（注入用の小孔）１０６を介してモールド樹脂１０７を磁石挿入部１０８に注入するマグネットモールド工法が提案されている（例えば、特許文献２参照）。この工法では、図９（Ａ）に示すように、注入後に硬化したモールド樹脂１０７が、積層鉄心本体１０４の表面ではなくカルプレート１０５の表面に固着して残留するため、積層鉄心本体１０４の端面からカルプレート１０５を取り外すことで残留樹脂も一緒に除去することができる利点がある。なお、符号１０９は磁石挿入部１０８内に配置された永久磁石である。
【先行技術文献】
【特許文献】
【０００４】
【特許文献１】特許第３７８６９４６号公報
【特許文献２】特許第４４１４４１７号公報
【発明の概要】
【発明が解決しようとする課題】
【０００５】
しかしながら、特許文献２に記載されたカルプレート１０５を用いたマグネットモールド工法においては、積層鉄心本体１０４の端面からカルプレート１０５を取り外す際に、図９（Ｂ）に示すように、カルプレート１０５を積層鉄心本体１０４の端面から上方に（即ち、回転子積層鉄心のスラスト方向に）引き剥がしていたため、樹脂封止した積層鉄心本体１０４の磁石挿入部１０８のうち、カルプレート１０５のゲート１０６付近のモールド樹脂１０７がカルプレート１０５と一緒に引き剥がされてしまい、磁石挿入部１０８の樹脂注入側の端部にエグレ（陥没）１１０が発生するという問題が生じる。
【０００６】
そこで、ゲート１０６の孔径を従来より小さくすることにより、ゲート１０６と磁石挿入部１０８との接触領域を狭めて、エグレ１１０の発生を抑えようとしたところ、今度はモールド樹脂１０７の流入速度が低下してしまい、規定の樹脂注入時間では磁石挿入部１０８内へモールド樹脂１０７が行き渡らずモールド樹脂１０７の未充填部が発生するようになった。更には、ゲート１０６の孔径を小さくしたことで、カルプレート１０５からの残留樹脂の除去及びゲート１０６内の清掃が困難となり、マグネットモールド工法においてカルプレート１０５を繰り返し使用する回転率が低下するという弊害も発生した。一方、未充填部の発生を防ぐには、モールド樹脂１０７の流入速度を上げるためにゲート１０６の孔径を大きくしなければならず、エグレ１１０の発生防止と未充填部の発生防止は相反する関係にあり、両者を同時に解決することは不可能であった。
【０００７】
本発明はかかる事情に鑑みてなされたもので、積層鉄心本体に形成された磁石挿入孔に永久磁石を入れ樹脂封止して回転子積層鉄心を形成する際に用いられるカルプレートを樹脂封止後に、樹脂封止部に損傷を与えることなく取り外すことが可能なカルプレートの除去方法及びその除去装置を提供することを目的とする。
【課題を解決するための手段】
【０００８】
前記目的に沿う第１の発明に係る回転子積層鉄心の製造に用いるカルプレートの除去方法は、積層鉄心本体に形成された各磁石挿入孔に永久磁石を挿入し、該積層鉄心本体の片側端部に設けられたカルプレートを介して上型及び下型で型締めし、前記磁石挿入孔に樹脂を充填して硬化させた後、別位置に搬送して前記カルプレートを該カルプレートに付着して硬化した前記樹脂と共に除去する方法であって、
前記カルプレートが前記積層鉄心本体に接した状態で前記積層鉄心本体をクランプ機構で把持し、前記カルプレートを前記積層鉄心本体に対して相対回転させて、前記積層鉄心本体内で硬化した樹脂と前記カルプレートに付着した樹脂との分離を行う。
ここで、相対回転とは、カルプレートを固定して積層鉄心本体を回転させる場合、又は積層鉄心本体を固定してカルプレートを回転させる場合をいう。
【０００９】
第１の発明に係る回転子積層鉄心の製造に用いるカルプレートの除去方法において、前記積層鉄心本体は、該積層鉄心本体を載せる載置板と該載置板に立設されて前記積層鉄心本体の軸心に形成された軸孔に挿通する支持軸とを有する搬送治具に載置されていることが好ましい。
【００１０】
第１の発明に係る回転子積層鉄心の製造に用いるカルプレートの除去方法において、前記カルプレートは、前記支持軸に設けられたキー溝に嵌入する位置決め用の突起を有し、前記カルプレートの載った前記積層鉄心本体を前記クランプ機構を用いて前記搬送治具に対して上昇させた後、前記カルプレートの回転を行うことが好ましい。
【００１１】
第１の発明に係る回転子積層鉄心の製造に用いるカルプレートの除去方法において、前記積層鉄心本体から分離された前記カルプレートは、別場所に搬送され、前記カルプレートの上側に付着した前記樹脂をバキューム機構によって支持された状態で、前記カルプレートから除去することが好ましい。
【００１２】
前記目的に沿う第２の発明に係るカルプレートの除去装置は、各磁石挿入孔に永久磁石を挿入した積層鉄心本体を、該積層鉄心本体の片側端部に設けられたカルプレートを介して上型及び下型で型締めした状態で、前記磁石挿入孔に樹脂を充填し硬化させてから別位置に搬送した後、前記カルプレートを該カルプレートに付着して硬化した前記樹脂と共に除去するカルプレートの除去装置であって、
前記積層鉄心本体を固定するクランプ機構と、前記積層鉄心本体を前記クランプ機構で保持した状態で、前記カルプレートを前記積層鉄心本体に対して水平回転させるカルプレート取外し回転機構とを有している。
【００１３】
第２の発明に係るカルプレートの除去装置において、前記積層鉄心本体は、該積層鉄心本体を載せる載置板と該載置板に立設されて前記積層鉄心本体の軸心に形成された軸孔に挿通する支持軸とを有する搬送治具に搭載され、前記クランプ機構は昇降手段を備え、該昇降手段は前記カルプレートの水平回転前に、前記カルプレートが載った前記積層鉄心本体を前記搬送治具に対して持ち上げることが好ましい。
【００１４】
第２の発明に係るカルプレートの除去装置において、前記カルプレート取外し回転機構は、矩形の前記カルプレートを挟持する対となる可動側部材と、該可動側部材を保持し前記積層鉄心本体の軸心を中心にスプリングリターンによって所定位置に保持される回動可能な基板部材と、該基板部材の片側に伸びるアームと、該アームを押圧して前記基板部材を前記スプリングリターンに対抗して回転させるシリンダとを有していることが好ましい。
【００１５】
第２の発明に係るカルプレートの除去装置において、前記カルプレート取外し回転機構とは別位置に、前記カルプレートに付着した前記樹脂を該カルプレートから除去するカル除去機構と、該カル除去機構が前記樹脂を該カルプレートから除去する際に、該樹脂を吸引するバキューム機構とを備えたカル回収部を有していることが好ましい。
【発明の効果】
【００１６】
第１の発明に係る回転子積層鉄心の製造に用いるカルプレートの除去方法及び第２の発明に係るカルプレートの除去装置においては、カルプレートを介して、永久磁石が挿入された磁石挿入孔内に樹脂を充填して硬化させた後、カルプレートを積層鉄心本体に対して水平回転（相対回転）させるので、硬化した樹脂では、積層鉄心本体とカルプレートとの境界部においてせん断破壊を発生させることができる。このため、積層鉄心本体からカルプレートを引き剥がす際、硬化した樹脂において発生させたせん断破壊部位が起点となって、硬化した樹脂は、磁石挿入孔内で硬化した部分とカルプレートに付着して硬化した部分とに容易に分断される。その結果、磁石挿入孔内のカルプレート側で硬化した樹脂がカルプレートと一緒に引き剥がされることが防止され、磁石挿入部内のカルプレート側で硬化した樹脂に「エグレ（陥没）」が発生することを防止できる。
また、硬化した樹脂は、磁石挿入孔内で硬化した部分とカルプレートに付着して硬化した部分とに容易に分断されるので、カルプレートに形成する樹脂注入口（ゲート）と磁石挿入孔との重なり領域を大きくして、磁石挿入孔に樹脂の充填を行っても、積層鉄心本体からカルプレートを引き剥がす際に、磁石挿入部内のカルプレート側で硬化した樹脂に「エグレ」が発生することを防止できる。
【００１７】
第１の発明に係る回転子積層鉄心の製造に用いるカルプレートの除去方法において、積層鉄心本体が、積層鉄心本体を載せる載置板と載置板に立設されて積層鉄心本体の軸心に形成された軸孔に挿通する支持軸とを有する搬送治具に載置されている場合、磁石挿入孔に樹脂を充填して硬化させた後、積層鉄心本体を容易かつ素早く別位置に搬送することができる。
【００１８】
第１の発明に係る回転子積層鉄心の製造に用いるカルプレートの除去方法において、カルプレートが、支持軸に設けられたキー溝に嵌入する位置決め用の突起を有する場合、積層鉄心本体に支持軸を挿通させる際に、支持軸に対して積層鉄心本体の位置決めを予め行っておくと、積層鉄心本体にカルプレートを載せる際、積層鉄心本体に対するカルプレートの位置決めを容易かつ確実に行うことができると共に、カルプレートは積層鉄心本体に掛止された状態になるため、積層鉄心本体に載せたカルプレートのずれを防止することが可能になる。その結果、積層鉄心本体に形成した磁石挿入孔内への樹脂の充填を、カルプレートを介しても確実に行うことができる。
また、カルプレートの載った積層鉄心本体をクランプ機構を用いて搬送治具に対して上昇させた後、カルプレートの回転を行う場合、カルプレートの突起を支持軸に設けられたキー溝から外して、カルプレートの積層鉄心本体に対する掛止が解除された状態でカルプレートの回転が行われるので、カルプレート及び支持軸の損傷を防止することができる。
【００１９】
第１の発明に係る回転子積層鉄心の製造に用いるカルプレートの除去方法において、積層鉄心本体から分離されたカルプレートが、別場所に搬送され、カルプレートの上側に付着した樹脂を、バキューム機構によって支持された状態で、カルプレートから除去する場合、付着した樹脂の飛散を防止することができ、清掃作業の負担が軽減できる。
【００２０】
第２の発明に係るカルプレートの除去装置において、積層鉄心本体が、積層鉄心本体を載せる載置板と載置板に立設されて積層鉄心本体の軸心に形成された軸孔に挿通する支持軸とを有する搬送治具に搭載されている場合、積層鉄心本体を直接ハンドリングしないため、積層鉄心本体の損傷を防止することができると共に、積層鉄心本体の搬送を容易かつ迅速に行うことができる。
また、クランプ機構が昇降手段を備え、昇降手段はカルプレートの水平回転前に、カルプレートが載った積層鉄心本体を搬送治具に対して持ち上げる場合、カルプレートは搬送治具に対して自由状態となるため、カルプレートを水平回転させた際に、カルプレート及び搬送治具に損傷が生じることを防止できる。
【００２１】
第２の発明に係るカルプレートの除去装置において、カルプレート取外し回転機構が、矩形のカルプレートを挟持する対となる可動側部材と、可動側部材を保持し積層鉄心本体の軸心を中心にスプリングリターンによって所定位置に保持される回動可能な基板部材と、基板部材の片側に伸びるアームと、アームを押圧して基板部材をスプリングリターンに対抗して回転させるシリンダとを有する場合、小さな荷重で基板部材を回動できるので、カルプレートを積層鉄心本体に対して容易に水平回転させることができると共に、シリンダとアームを直接連結しなくても、シリンダの動作に連動させて基板部材を所定位置を起点として回動させることができる。
【００２２】
第２の発明に係るカルプレートの除去装置において、カルプレート取外し回転機構とは別位置に、カルプレートに付着した樹脂をカルプレートから除去するカル除去機構と、カル除去機構が樹脂をカルプレートから除去する際に、樹脂を吸引するバキューム機構とを備えたカル回収部を有している場合、除去した樹脂の飛散を防止しながら回収することができ、清掃作業の負担が軽減できる。
【図面の簡単な説明】
【００２３】
【図１】（Ａ）、（Ｂ）は、本発明の一実施の形態に係るカルプレートの除去装置のカルプレート分離部の平面図、正面図である。
【図２】（Ａ）、（Ｂ）は、同カルプレートの除去装置のカルプレート取外し回転機構の部分正断面図、部分底面図である。
【図３】（Ａ）、（Ｂ）は待機状態のカルプレート分離部の平面図、正面図、（Ｃ）は本発明の一実施の形態に係る回転子積層鉄心の製造に用いるカルプレートの除去方法の第１工程におけるカルプレート分離部の正面図である。
【図４】（Ａ）、（Ｂ）は同カルプレートの除去方法の第２、第３工程におけるカルプレート分離部の正面図である。
【図５】（Ａ）、（Ｂ）は同カルプレートの除去方法の第４工程におけるカルプレート分離部の平面図、正面図、（Ｃ）は第５工程におけるカルプレート分離部の平面図である。
【図６】（Ａ）、（Ｂ）、（Ｃ）は同カルプレートの除去方法の第６、第７、第８工程におけるカルプレート分離部の正面図である。
【図７】（Ａ）、（Ｂ）は分離されたカルプレートからバキューム機構で吸引されたカルの状態を示す正断面図、底面図である。
【図８】（Ａ）はカルプレートを使用しないマグネットモールド工法の説明図、（Ｂ）はカルプレートを使用したマグネットモールド工法の説明図である。
【図９】（Ａ）はカルプレートを使用したマグネットモールド工法で充填したモールド樹脂の硬化が終了した状態の説明図、（Ｂ）は積層鉄心本体からカルプレートを引き剥がした際の状態を示す説明図である。
【発明を実施するための形態】
【００２４】
続いて、添付した図面を参照しつつ、本発明を具体化した実施の形態につき説明し、本発明の理解に供する。
先ず、本発明の一実施の形態に係るカルプレートの除去装置１０について説明する。
図１（Ａ）、（Ｂ）、図２（Ａ）、（Ｂ）、に示すように、カルプレートの除去装置１０は、各磁石挿入孔（図示せず）に永久磁石（図示せず）を挿入した積層鉄心本体１１を、積層鉄心本体１１の上側端部（片側端部の一例）に設けられたカルプレート１２を介して上型及び下型を有する金型装置（図示せず）で型締めした状態で、磁石挿入孔に、例えば熱硬化性の樹脂を充填し硬化させてから別位置に搬送した後、カルプレート１２をカルプレート１２に付着して硬化した樹脂１３（以下、単にカル１３ということもある）と共に除去する装置である。なお、カルプレート１２は、矩形（正方形を含む）であって、角部は全て角取りされている。
【００２５】
そして、カルプレートの除去装置１０は、積層鉄心本体１１を固定するクランプ機構１４と、積層鉄心本体１１をクランプ機構１４で保持した状態で、カルプレート１２を積層鉄心本体１１に対して水平回転させるカルプレート取外し回転機構１５とを備え、カルプレート１２を積層鉄心本体１１から分離するカルプレート分離部１６を有している。更に、カルプレートの除去装置１０は、カルプレート取外し回転機構１５とは別位置に、カルプレート１２に付着したカル１３をカルプレート１２から除去するカル除去機構（図示せず）と、カル除去機構がカル１３をカルプレート１２から除去する際に、カル１３を吸引するバキューム機構１７とを備えたカル回収部１８を有している。以下、詳細に説明する。
【００２６】
積層鉄心本体１１は、積層鉄心本体１１を載せる載置板１９（平面視して、正方形状又は矩形状）と載置板１９に立設されて積層鉄心本体１１の軸心に形成された軸孔（図示せず）に挿通する支持軸２０とを有する搬送治具２１に搭載されている。このため、カルプレート１２が載せられた積層鉄心本体１１は、搬送治具２１に搭載された状態で金型装置内に搬入されて樹脂の充填と硬化が行われた後、搬送治具２１に搭載された状態で金型装置から取り出され、カルプレートの除去装置１０に搬送される。
【００２７】
図１（Ａ）に示すように、カルプレート分離部１６には、搬送治具２１に搭載された樹脂の硬化が行われた後の積層鉄心本体１１を、クランプ機構１４に搬送する長尺の搬送台２２を備えている。ここで、搬送台２２の上面の幅方向両側（長手方向に直交する方向の両側）には、対となるガイド部材２３、２４が取り付けられ、搬送台２２の上面のガイド部材２３、２４で挟まれた領域には、長手方向に沿って搬送治具２１をクランプ機構１４に移動させるための搬送用ローラ（図示せず）が並べて配置されている。
【００２８】
ここで、図２（Ｂ）に示すように、カルプレート１２の中央部には支持軸２０が挿通する孔１２ａが形成され、孔１２ａの内周部には、対向する位置に支持軸２０に設けられたキー溝（図示せず）に嵌入する位置決め用の突起１２ｂが設けられている。なお、積層鉄心本体１１の軸孔の内周面には、キー溝に嵌入するキーが設けられている。従って、積層鉄心本体１１に支持軸２０を挿通させる際に、支持軸２０に対して積層鉄心本体１１の位置決めを予め行っておくと、積層鉄心本体１１にカルプレート１２を載せる際、積層鉄心本体１１に対するカルプレート１２の位置決めを容易かつ確実に行うことができる。その結果、カルプレート１２は積層鉄心本体１１に掛止された状態になって、積層鉄心本体１１に載せたカルプレート１２のずれを防止することができる。更に、搬送治具２１を搬送台２２に載置する場合、載置板１９の２組の対となる辺のうち、一方の対となる辺をそれぞれガイド部材２３、２４に沿って配置すると、積層鉄心本体１１に載せられているカルプレート１２の２組の対となる辺のうち、一方の対となる辺を搬送台２２の搬送方向に沿って、他方の対となる辺を搬送台２２の幅方向に沿ってそれぞれ配置することができる。
なお、カルプレート１２において、搬送台２２の搬送方向に沿った方向を前後方向、搬送台２２の幅方向に沿った方向を左右方向ということもある。
【００２９】
図１（Ａ）、（Ｂ）に示すように、クランプ機構１４は、搬送台２２の一方の端部に連接して水平状態で設けられ、搬送台２２上を搬送されてきた搬送治具２１の載置板１９を受入れる支持部材２５と、支持部材２５を支える脚部材２６とを備えた架台２７を有している。なお、支持部材２５の上面の縁部を除いた中央側領域には、搬送台２２に設けた搬送用ローラと上端高さ位置を合わせてボールローラ２８が並べて配置されている。また、支持部材２５上部には、搬送台２２のガイド部材２３、２４とそれぞれ連接し、支持部材２５上にボールローラ２８を介して受入れた搬送治具２１の載置板１９の上面の両側を掛止するフック部２９をそれぞれ備えた側部材３０、３１が設けられている。
【００３０】
支持部材２５の外側において、搬送台２２の幅方向に沿った方向の両側には垂直状態で対となる壁部材３２、３３が配置され、対となる壁部材３２、３３の上、下端部はそれぞれ、水平配置された天井部材３４及び底部材３５を介して連結されて枠体３６を構成している。なお、天井部材３４の中央部には、支持部材２５に支持された搬送治具２１に載置され、カルプレート１２が載せられた積層鉄心本体１１の上端部が貫通する開口部が、底部材３５には、脚部材２６が挿通可能な寸法の挿通孔がそれぞれ設けられている。そして、底部材３５と脚部材２６のベース部材３７の間には、昇降手段の一例であるエアシリンダ３８が、エアシリンダ３８の基側をベース部材３７に固定し、ピストン３９の先端部を底部材３５の中央部に連結された状態で配置されている。
【００３１】
更に、クランプ機構１４は、枠体３６内において、支持部材２５上に受入れられた載置板１９に載置された積層鉄心本体１１の軸心を挟んだ対称位置にそれぞれ配置され、積層鉄心本体１１の外周部の高さ方向中間部と対向する把持部材４０、４１と、壁部材３２、３３の外側にそれぞれ取り付けられ、把持部材４０、４１の背面側（積層鉄心本体１１の外周部に対向する側の反対側）と連結して、把持部材４０、４１を積層鉄心本体１１の外周部に対して進退させる駆動手段の一例であるエアシリンダ４２、４３とを有している。
【００３２】
以上の構成とすることにより、支持部材２５上に受入れた搬送治具２１の載置板１９に載置された積層鉄心本体１１の外周部を把持部材４０、４１で押圧することができ、積層鉄心本体１１を枠体３６内で保持する（積層鉄心本体１１と枠体３６を機械的に一体化する）ことができる。そして、エアシリンダ３８を運転して、枠体３６を上昇させることにより、枠体３６と共に積層鉄心本体１１を上昇させることができる。ここで、支持部材２５上の載置板１９の上面において、支持部材２５に設けられた側部材３０、３１とそれぞれ対向する両側部は、側部材３０、３１のフック部２９でそれぞれ掛止されるので、載置板１９は架台２７側に固定されることになって、カルプレート１２が載った積層鉄心本体１１を搬送治具２１（載置板１９）に対して持ち上げることができる。ここで、積層鉄心本体１１は、カルプレート１２の高さ位置が搬送治具２１の支持軸２０の上端高さ位置を越えるまで（カルプレート１２の突起１２ｂが支持軸２０のキー溝の上端から外れる高さ位置まで）少なくとも持ち上げればよい。
【００３３】
図１（Ａ）、（Ｂ）、図２（Ａ）、（Ｂ）に示すように、カルプレート分離部１６のカルプレート取外し回転機構１５は、クランプ機構１４の枠体３６の天井部材３４の上方に図示しない第１の支持部により水平回動可能に保持され、天井部材３４の上方に配置されたカルプレート１２の両端部（搬送台２２の搬送方向に沿った方向の両端部）を把持するカルプレート把持部４４と、カルプレート把持部４４の片側（搬送台２２の幅方向に沿った方向の一方側）に伸びるアーム４５と、アーム４５と同一高さ位置となるように図示しない第２の支持部により保持され、アーム４５の側部先側を押圧するシリンダ４６とを有している。ここで、符号４７は、アーム４５の側部先側に取り付けられ、シリンダ４６のピストン４８の先端部と接触する当て板材である。
【００３４】
カルプレート把持部４４は、第１の支持部を用いて、天井部材３４の上方にあるカルプレート１２に対向配置されると共に、天井部材３４の上側に突出したカルプレート１２を載せた積層鉄心本体１１の軸心を中心にスプリングリターンによって所定位置に保持される水平回動可能な平面視して矩形（正方形を含む）の基板部材４９を有している。ここで、所定位置における基板部材４９では、天井部材３４の上方にあるカルプレート１２の各辺に対して、基板部材４９の対向する各辺がそれぞれ平行になっている。
【００３５】
更に、カルプレート把持部４４は、基板部材４９の一方の両側（カルプレート１２の左右方向に沿った方向の両側）にそれぞれ下方に向けて突出させて取り付けられた固定側部材５０、５１と、基板部材４９の他方の両側（カルプレート１２の前後方向に沿った方向の両側）の外側に、駆動手段の一例であるエアシリンダ５２、５３を介して、基板部材４９に対してそれぞれ進退可能に設けられて、カルプレート１２の前後方向の両側を挟持する対となる可動側部材５４、５５とを有している。そして、アーム４５は、固定側部材５０を介して、基板部材４９に取り付けられている。ここで、可動側部材５４、５５の下端の高さ位置は、固定側部材５０、５１の下端の高さ位置より下側にある。
【００３６】
このような構成とすることにより、エアシリンダ３８を運転して、枠体３６の天井部材３４の上方に配置されたカルプレート１２の左右方向両側は、カルプレート把持部４４の固定側部材５０、５１にそれぞれ当接して、カルプレート１２の高さ方向の位置決めが行われる。そして、カルプレート１２の高さ方向の位置決めが行われた後、エアシリンダ５２、５３を操作して可動側部材５４、５５をカルプレート１２の前後方向両側に当接させて押圧することで、カルプレート１２を把持することができる。次いで、シリンダ４６を操作してピストン４８の先端を当て板材４７を介してアーム４５に当接させることにより、基板部材４９をスプリングリターンに対抗して回転させることができ、カルプレート１２を積層鉄心本体１１に対して水平回転させることができる。
なお、カルプレート１２の高さ方向の位置決めは、必ずしも固定側部材５０、５１にカルプレート１２を当接させて行う必要はなく、カルプレート１２の高さ位置は、カルプレート１２の前後方向両側を可動側部材５４、５５で把持することが可能な高さ範囲であれば、任意に決めることができる。
【００３７】
カルプレート１２を水平回転させた後、シリンダ４６を操作してピストン４８をシリンダ４６内に収納すると、水平回転した基板部材４９は、スプリングリターンによって所定位置に復帰する。ここで、カルプレート１２の水平回転は、積層鉄心本体１１とカルプレート１２との境界部において、硬化した樹脂にせん断破壊が発生する程度のねじりが生じるような（カルプレート１２が積層鉄心本体１１の上端面上で水平回転しても積層鉄心本体１１の上端面に疵が付かない程度の）回転角度とする。
次いで、カルプレート把持部４４（基板部材４９）が所定位置に復帰した後、エアシリンダ３８を運転して、枠体３６を下降させると、カルプレート１２はカルプレート把持部４４に把持された状態であるため、枠体３６と共に積層鉄心本体１１だけが下降することになって、カルプレート１２は積層鉄心本体１１から引き剥がされ、積層鉄心本体１１とカルプレート１２は分離する。
【００３８】
図２に示すカル回収部１８のバキューム機構１７は、図示しない減圧源と、カルプレート把持部４４の基板部材４９に、カルプレート１２上のカル１３の形成位置にそれぞれ対向するように予め位置決めされて貫通状態で取り付けられた複数の吸引部５６とを有している。ここで、吸引部５６には図示しないバネ（弾性部材の一例）が内蔵されており、吸引口５７は下方に向けて付勢された状態となっている。更に、吸引口５７の下端の高さ位置は、カルプレート１２の前後方向両側を可動側部材５４、５５で把持した際、吸引口５７が上方に押し戻されるように、高さ位置が調整されている。
このような構成とすることにより、カルプレート把持部４４に対してカルプレート１２の高さ方向の位置決めが行われた際、カルプレート１２上のカル１３に吸引口５７を押圧させることができる。これにより、カル１３は、カルプレート１２と吸引口５７で挟持された状態となる。
【００３９】
カルプレート１２を把持したカルプレート把持部４４はアーム４５と共に、第１の支持部に設けられた図示しない移動手段により、カルプレート取外し回転機構１５とは別位置にあって、カルプレート１２に付着したカル１３をカルプレート１２から除去するカル除去機構に搬送される。ここで、カル除去機構は、例えば、搬送されたカルプレート把持部４４の位置決めを行ってカルプレート把持部４４を固定する保持部と、保持部に固定されたカルプレート把持部４４に把持されたカルプレート１２の下方に近接配置される板部材と、カルプレート１２に形成された複数の樹脂注入口（ゲート）にそれぞれ対向するように予め位置決めされて板部材に貫通状態で昇降可能に取り付けられた複数のピン部材と、ピン部材をそれぞれ昇降させる昇降機構とを有している。
【００４０】
このような構成とすることにより、減圧源を運転してカル１３を吸引口５７に吸着した後、各ピン部材を上昇させて樹脂注入口にそれぞれ挿入させることにより、吸引口５７に吸着されているカル１３を押し上げることができ、カル１３は吸引口５７に吸着された状態で吸引部５６と共に上昇して、カルプレート１２から分離される。なお、カル１３は吸引口５７に吸着された状態のため、カルプレート１２から分離される際に飛散しない。カル１３をカルプレート１２から分離した後、ピン部材を下降させ、カルプレート把持部４４によるカルプレート１２の把持を解除し、保持部によるカルプレート把持部４４の固定を解除してカルプレート把持部４４を移動させると、カルプレート１２をカルプレート把持部４４から分離して板部材上に残留させることができる。その結果、板部材からカルプレート１２を回収し、カルプレート１２を清掃工程に搬送することができる。一方、カルプレート把持部４４側には、吸引部５６に吸着保持されたカル１３が存在しているので、第１の支持部の移動手段を用いて、カルプレート把持部４４を更に、図示しないカル回収場所に移動させ、吸引部５６による吸着を停止すると、カル１３を回収することができる。なお、カル１３が分離されたカルプレート把持部４４は、第１の支持部の移動手段を用いてクランプ機構１４の枠体３６の天井部材３４の上方位置に戻される。
【００４１】
続いて、本発明の一実施の形態に係る回転子積層鉄心の製造に用いるカルプレートの除去方法について説明する。
回転子積層鉄心の製造に用いるカルプレートの除去方法は、積層鉄心本体１１に形成された各磁石挿入孔に永久磁石を挿入し、積層鉄心本体１１の上側端部に設けられたカルプレート１２を介して上型及び下型を有する金型装置で型締めし、磁石挿入孔に樹脂を充填して硬化させた後、別位置に搬送してカルプレート１２をカルプレート１２に付着して硬化した樹脂１３と共に除去する方法である。以下、詳細に説明する。
【００４２】
カルプレート１２が上側端部に載置された積層鉄心本体１１は、積層鉄心本体１１を載せる載置板１９と載置板１９に立設されて積層鉄心本体１１の軸心に形成された軸孔に挿通する支持軸２０とを有する搬送治具２１に載置された状態で金型装置内にセットされ、磁石挿入孔への樹脂の充填が行われ、次いで、充填した樹脂の硬化が行われた後、搬送治具２１に搭載された状態で金型装置から取り出され、搬送台２２を用いて、図３（Ａ）、（Ｂ）に示すカルプレートの除去装置１０に搬送して、図３（Ｃ）に示すように、支持部材２５上に配置される。
【００４３】
ここで、カルプレート１２に形成された孔１２ａの内周部には、孔１２ａを挿通する支持軸２０に設けられたキー溝に嵌入する位置決め用の突起１２ｂが設けられているので、積層鉄心本体１１にカルプレート１２を載せる際に、積層鉄心本体１１の上端面内における回転角度位置を予め規定することができ、例えば、搬送台２２に搬送治具２１をセットした場合、搬送治具２１の載置板１９上の積層鉄心本体１１に載せられているカルプレート１２の２組の対となる辺のうち、一方の対となる辺を搬送台２２の搬送方向に沿って配置することができる。
【００４４】
支持部材２５上に載置板１９を介して積層鉄心本体１１が載置された後、図４（Ａ）に示すように、枠体３６の壁部材３２、３３に設けられたシリンダ４２、４３を操作して、積層鉄心本体１１の外周部を把持部材４０、４１で押圧して、支持部材２５上に載置板１９を介して載置された積層鉄心本体１１を枠体３６内で把持する。
次いで、図４（Ｂ）に示すように、エアシリンダ３８を運転して、枠体３６を上昇させると、積層鉄心本体１１は、把持部材４０、４１及びエアシリンダ４２、４３を介して枠体３６と連結状態になっているので、枠体３６と共に上昇させることができる。ここで、支持部材２５上の載置板１９の上面は、その一部が支持部材２５に設けられた側部材３０、３１のフック部２９で掛止されるので、載置板１９は支持部材２５に固定されることになって、カルプレート１２が載った積層鉄心本体１１は、搬送治具２１（載置板１９）に対して持ち上げられ、カルプレート１２が載った積層鉄心本体１１の上端部は、カルプレート取外し回転機構１５（カルプレート把持部４４）に向けて移動する。
【００４５】
図５（Ａ）、（Ｂ）に示すように、カルプレート把持部４４に接近したカルプレート１２の左右方向両側は、カルプレート把持部４４の固定側部材５０、５１にそれぞれ当接して、カルプレート１２の高さ方向の位置決めが行われる。そして、カルプレート１２の高さ方向の位置決めが行われた後、エアシリンダ５２、５３を操作して可動側部材５４、５５をカルプレート１２の前後方向両側に当接させて押圧する。これにより、可動側部材５４、５５を介して、カルプレート１２はカルプレート把持部４４に把持される。ここで、カルプレート把持部４４に対してカルプレート１２の高さ方向の位置決めが行われる際、カルプレート把持部４４の基板部材４９に設けられた吸引部５６の吸引口５７は、カルプレート１２上のカル１３に当接し吸引部５６に内蔵されたバネの弾性力によって、カル１３をカルプレート１２に対して押圧固定している。
【００４６】
続いて、図５（Ｃ）に示すように、シリンダ４６を操作してピストン４８の先端を当て板材４７を介してアーム４５に当接させ、カルプレート把持部４４を水平回転させる。これにより、カルプレート把持部４４に把持されているカルプレート１２は、積層鉄心本体１１に対して水平回転する。その結果、硬化した樹脂では、積層鉄心本体１１とカルプレート１２との境界部においてせん断破壊が発生する。なお、カル１３は吸引部５６によってカルプレート１２に押圧固定されており、しかも、カルプレート１２は、積層鉄心本体１１とカルプレート１２との境界部において硬化した樹脂にせん断破壊が発生する程度にしか水平回転させないので、カル１３が飛び散ることはない。
【００４７】
カルプレート１２を積層鉄心本体１１に対して水平回転させた後、ピストン４８をシリンダ４６内に収納すると、スプリングリターンによって、水平回転したカルプレート把持部４４及びアーム４５は、所定位置（回転前の位置）に復帰する。
ここで、硬化した樹脂では、積層鉄心本体１１とカルプレート１２との境界部においてせん断破壊が発生しているため、カルプレート把持部４４（カルプレート１２）が回転前の位置に復帰した後、エアシリンダ３８を運転して、枠体３６を下降させると、カルプレート１２はカルプレート把持部４４に把持された状態であるため、カルプレート１２が積層鉄心本体１１から引き剥がされ、枠体３６と共に積層鉄心本体１１だけが下降して、図６（Ａ）に示すように、積層鉄心本体１１とカルプレート１２が分離される。なお、カルプレート１２が積層鉄心本体１１から引き剥がされる際、せん断破壊部位が起点となって、硬化した樹脂は、積層鉄心本体１１の磁石挿入孔内で硬化した部分と、カルプレート１２に付着して硬化したカル１３とに分断されるため、磁石挿入部内のカルプレート１２側で硬化した樹脂に「エグレ（陥没）」が発生することが防止される。
【００４８】
そして、積層鉄心本体１１の底が載置板１９に当接するとエアシリンダ３８の運転を停止し、図６（Ｂ）に示すように、エアシリンダ４２、４３を操作して、積層鉄心本体１１の外周部を押圧している把持部材４０、４１を積層鉄心本体１１から離して、クランプ機構１４による積層鉄心本体１１に対するクランプ状態を解除する。これにより、搬送治具２１に搭載された状態の積層鉄心本体１１を、搬送台２２を用いてカルプレートの除去装置１０（支持部材２５上）から取り出すことができる。
【００４９】
次いで、減圧源を運転してカル１３を吸引口５７に吸着された後、図６（Ｃ）に示すように、カルプレート１２を把持しているカルプレート把持部４４は、アーム４５と共に、第１の支持部に設けられた移動手段により別位置にあるカル除去機構に搬送され、カル除去機構の保持部によって固定される。次いで、カルプレート把持部４４に把持されたカルプレート１２の下方に当接配置されたカル除去機構の板部材に貫通状態で昇降可能に取り付けられた複数のピン部材をそれぞれ上昇させて、カルプレート１２に形成された樹脂注入口に挿入する。これによって、吸引口５７に吸着状態のカル１３は押し上げられ、吸引部５６と共に上昇してカルプレート１２から分離する。ここで、カル１３は吸引口５７に吸着された状態のため、カルプレート１２から分離される際に破断しても飛散しない。
【００５０】
カル１３がカルプレート１２から分離された後、ピン部材を下降させ、エアシリンダ５２、５３を操作して、カルプレート１２を挟持している可動側部材５４、５５をカルプレート１２から離してカルプレート把持部４４によるカルプレート１２の把持を解除する。次いで、保持部によるカルプレート把持部４４の固定を解除してカルプレート把持部４４を保持部から移動させると、カルプレート１２はカルプレート把持部４４から分離されて、板部材上に残留した状態となる。これにより、板部材からカルプレート１２を回収し、カルプレート１２を清掃工程に搬送することができる。
一方、カルプレート把持部４４側には、図７（Ａ）、（Ｂ）に示すように、吸引部５６の吸引口５７に吸着保持されたカル１３が存在しているので、カルプレート把持部４４を更に、図示しないカル回収場所に搬送し、減圧源の運転を止めて吸引部５６による吸着を停止してカル１３を吸引口５７から離脱させて回収することができる。なお、カル１３を分離したカルプレート把持部４４は、第１の支持部の移動手段を用いてクランプ機構１４の枠体３６の天井部材３４の上方位置に戻す。
【００５１】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
更に、本実施の形態とその他の実施の形態や変形例にそれぞれ含まれる構成要素を組合わせたものも、本発明に含まれる。
例えば、本実施の形態では、積層鉄心本体の軸孔内にキーが、カルプレートの孔内に突起がそれぞれ設けられ、搬送治具の支持軸にはキー及び突起が嵌入するキー溝が形成されている場合について説明したが、積層鉄心本体の軸孔内、カルプレートの孔内、及び支持軸に、それぞれキー、突起、及びキー溝が存在しない場合についても、本発明は適用可能である。この場合、カルプレートを積層鉄心本体に対して相対回転させる際に、積層鉄心本体をクランプ機構で把持するのみで、積層鉄心本体を持ち上げる必要はない。
また、カルプレートに対して剥離性の高い樹脂を使用した場合は、減圧源を運転してカルを吸引部に吸着させた状態で、カルプレートを積層鉄心本体に対して相対回転させる（積層鉄心本体とカルプレートとの境界部において硬化した樹脂にせん断破壊を発生させる）ことが好ましい。これによって、カルプレートを積層鉄心本体に対して相対回転させた際に、カルがカルプレートの表面から分離することを防止できる。
更に、本実施の形態では、カルプレートを積層鉄心本体に対して相対回転させる一例として、積層鉄心本体を固定してカルプレートを水平回転させたが、カルプレートを固定して積層鉄心本体を水平回転させてもよい。
【符号の説明】
【００５２】
１０：カルプレートの除去装置、１１：積層鉄心本体、１２：カルプレート、１２ａ：孔、１２ｂ：突起、１３：カルプレートに付着して硬化した樹脂（カル）、１４：クランプ機構、１５：カルプレート取外し回転機構、１６：カルプレート分離部、１７：バキューム機構、１８：カル回収部、１９：載置板、２０：支持軸、２１：搬送治具、２２：搬送台、２３、２４：ガイド部材、２５：支持部材、２６：脚部材、２７：架台、２８：ボールローラ、２９：フック部、３０、３１：側部材、３２、３３：壁部材、３４：天井部材、３５：底部材、３６：枠体、３７：ベース部材、３８：エアシリンダ、３９：ピストン、４０、４１：把持部材、４２、４３：エアシリンダ、４４：カルプレート把持部、４５：アーム、４６：シリンダ、４７：当て板材、４８：ピストン、４９：基板部材、５０、５１：固定側部材、５２、５３：エアシリンダ、５４、５５：可動側部材、５６：吸引部、５７：吸引口
【図１】
2014007899.tif 000003
【図２】
2014007899.tif 000004
【図３】
2014007899.tif 000005
【図４】
2014007899.tif 000006
【図５】
2014007899.tif 000007
【図６】
2014007899.tif 000008
【図７】
2014007899.tif 000009
【図８】
2014007899.tif 000010
【図９】
2014007899.tif 000011